(57)【特許請求の範囲】
【請求項１】
水平偏向巻線と、
水平偏向周波数に関係した周波数を有する同期入力信号の同期入力信号源と、
前記同期入力信号に応答して前記水平偏向巻線に偏向電流を発生させるスイッチング部と、
偏向サイクルの帰線期間において共振する帰線共振回路を前記水平偏向巻線とともに構成する帰線コンデンサと、
垂直偏向周波数に関係した周波数で変調される変調入力信号の変調入力信号源と
を有する偏向装置であって、
本変調増幅器の出力段の出力インピーダンスを上げる電流帰還パスと、前記出力段の出力インピーダンスを下げる電圧帰還パスとを有する変調増幅器であって、偏向ひずみを補正するため、前記変調入力信号に応答して、前記出力段で発生した電流から、前記垂直偏向周波数に関係する周波数を有する変調電圧を発生し、前記偏向電流を変調する変調増幅器
を備えたことを特徴とする偏向装置。
【請求項２】
水平偏向巻線と、
水平偏向周波数に関係する周波数を有する同期入力信号の同期入力信号源と、
前記同期入力信号に応答して前記水平偏向巻線に偏向電流を発生させる第１トランジスタと、
偏向サイクルの帰線期間において共振する帰線共振回路を前記水平偏向巻線とともに構成する帰線コンデンサと、
垂直偏向周波数に関係する周波数を有する変調入力信号の変調入力信号源と、
前記変調入力信号に応答して、垂直偏向周波数に関係する周波数を有する変調電圧を前記水平偏向巻線に結合して前記偏向電流を変調し偏向ひずみを補正する第２トランジスタと
を有する偏向装置であって、
前記第２トランジスタを流れる電流を表す電流帰還信号を生成する電流センサと、
前記第２トランジスタの出力インピーダンスを変えるため、前記電流センサにより生成された電流帰還信号を前記第２トランジスタに帰還する帰還回路と
を備えたことを特徴とする偏向装置。
【請求項３】
水平偏向巻線と、
水平偏向周波数に関係する周波数を有する同期入力信号の同期入力信号源と、
前記同期入力信号に応答して前記水平偏向巻線内に偏向電流を発生させるスイッチング部と、
偏向サイクルの帰線期間において共振する帰線共振回路を前記水平偏向巻線とともに構成する帰線コンデンサと、
垂直偏向周波数に関係する周波数を有する変調入力信号の変調入力信号源と、
前記変調入力信号に応答して出力段で発生した電流から前記垂直偏向周波数に関係する周波数を有する変調電圧を発生する変調増幅器と、
前記偏向ひずみ又は内部偏向ひずみの少なくともいずれかを補正するため、前記変調増幅器からの変調電圧を前記水平偏向巻線に印加して偏向電流を変調するリアクタンス性ネットワークであって、前記偏向電流の帰線周波数において、前記出力段の出力インピーダンスより高い入力インピーダンスを形成するリアクタンス性ネットワークと
を有する偏向装置であって、
前記出力段の電流を表す信号に応答して前記変調増幅器の前記出力段の出力インピーダンスを上げる電流帰還回路網
を備えことを特徴とする偏向装置。
【発明の詳細な説明】
【０００１】
【発明の属する技術分野】
本発明は、ＴＶ（television）受像管内の電子ビームを偏向する偏向装置に関する。
【０００２】
【従来の技術】
ＴＶレシーバでは、ＴＶ受像管内の電子ビームが、水平偏向巻線および垂直偏向巻線を流れる鋸歯状波偏向電流によって発生される磁界によって偏向される。偏向された電子ビームにより、ＴＶ受像管の蛍光面上でラスタパターンの走査が行なわれる。ラスタパターンひずみが補正されないと、ラスタパターンには左右糸巻ひずみ（side or east-west pincushion distortion）のような種々の幾何学的なひずみが生じる可能性がある。内部ラスタひずみの補正には、ラスタディスプレイ装置の垂直軸、すなわちラスタの上部から中央部までの距離と、中央部から下部までの距離に応じてＳ形シェーピング（S-shaping）変調をする必要がある。これは、Ｓ字補正コンデンサ（S-capacitor）間の電圧を変調することによって行なわれる。変調された電圧が水平偏向巻線間にも現れるから、偏向電流が変調される。
【０００３】
左右糸巻ひずみを補正するため、水平偏向巻線内のピーク・ツ・ピーク・水平偏向トレース電流が、垂直周波数でパラボリック（parabolic）変調される。このようなパラボリック変調は、左右変調器（East-West modulator）を含む水平偏向回路内で行うことができる。左右糸巻ひずみと内部ラスタひずみとを補正することができる左右変調器の例が述べられている（例えば、特許文献１参照）。
【０００４】
この左右変調器は、本発明の特徴を具体化したものであり、垂直周波数でパラボリックにコンデンサ間に電圧を生成する増幅器を含んでいる。このコンデンサ間に生成された電圧は、左右糸巻ひずみを補正するため、インダクタを介して偏向回路に結合される。この増幅器には、このコンデンサ間電圧を変化させるための主電流パスを有するトランジスタ段が含まれている。
【０００５】
【特許文献１】
発明の名称をCIRCUIT ARRANGEMENT FOR GENERATING A SAWTOOTH DEFLECTION CURRENT THROUGH A LINE DEFLECTION COILとし、発明者をNillesenとする米国特許第３，９０６，３０５号公報
【０００６】
【発明が解決しようとする課題】
インダクタや変調器のトランジスタに電流が流れると、不要な減衰振動が生じ、この増幅器への入力電圧が急速に遷移した後にリンギングが生じ、ピクチャの上部において幅（width）リンギングを生じる可能性がある。このコンデンサにおけるリンギングをダンプ（dump）することによって、偏向電流のリンギングをダンプするのが望ましい。
【０００７】
本発明においては、増幅器内に電流帰還パスが形成される。その結果、コンデンサとインダクタとのノードにおいて、増幅器の出力インピーダンスが高くなって、リンギングがダンプされ、ピクチャひずみが軽減される。
【０００８】
【課題を解決するための手段】
本発明を具現化した偏向装置は、偏向巻線と、第１偏向周波数に関係する周波数を有する同期入力信号の同期入力信号源とを含む。スイッチング部は偏向巻線に結合されていて、第１の入力信号に応答して偏向巻線内に偏向電流を発生させる。帰線（retrace）コンデンサは偏向巻線に結合されていて、偏向サイクルの帰線期間において偏向巻線と共に帰線共振回路を形成する。第２偏向周波数に関係する周波数を有する変調入力信号の変調入力信号源を提供する。変調増幅器は、変調入力信号に応答して、変調増幅器の出力段で発生した電流から、第２偏向周波数に関係する周波数を有する変調電圧を発生し、偏向ひずみを補正するように偏向電流を変調する。変調増幅器段は出力段の出力インピーダンスを上げる電流帰還パスと、出力インピーダンスを下げる電圧帰還パスとを含む。
【０００９】
【発明の実施の形態】
図１は本発明の一実施の形態に係る水平偏向回路１０を示す。動作電圧Ｂ＋は電源巻線２２ａの端子２１に現れる。電源巻線２２ａには、慣用の水平出力トランジスタ２７のコレクタ端子４３に接続してある。慣用の水平発振回路・水平ドライブ回路６１は、対応する期間Ｈにおいて、水平周波数が３１４６８Ｈｚのドライブ信号２７ａを受信するものであって、その出力は水平出力トランジスタ２７のベースに結合される。
【００１０】
水平出力トランジスタ２７のコレクタ４３には、水平偏向巻線３０と、Ｓ字補正コンデンサ３１と、内部糸巻ひずみ（inner pin）補正トランスＴ２の巻線Ｗ１との直列回路も接続されている。リンギングサプレッションネットワーク１３０は、抵抗１３０ｃと抵抗１３０ｄとコンデンサ３１とを直列接続してなる回路を、コンデンサ３１に並列に接続し、抵抗１３０ｃにダイオード１３０ａを並列接続し、抵抗１３０ｄにダイオード１３０ｂを並列接続してなるものである。Ｓ字補正コンデンサ３１ｂは、巻線Ｗ１とコンデンサ１３０ｅとのノード３１ａと、トランスＴ２の２次巻線Ｗ２との間に接続してある。そうすると、コンデンサ３１ｂとトランスＴ２の２次巻線Ｗ２とが直列接続され、Ｓ字補正コンデンサ３１ｂと、Ｓ字補正コンデンサ３１と、水平偏向巻線３０とが、事実上、直列接続されていることになる。
【００１１】
ダンパダイオード３２は、巻線Ｗ２の端子４１（コンデンサ３１ｂが接続されていない側の端子）とグランド（基準電位又はグランド電位）との間に接続された帰線コンデンサ３３に並列に接続されている。水平ダンパダイオード２８は、端子４１と、トランジスタ２７のコレクタ端子４３との間に接続され、水平ダンパダイオード２８に並列に水平帰線コンデンサ２９が接続されている。トランジスタ２７のスイッチング動作により、トレースし、共振して、帰線するための偏向電流ｉｙを、周知の方法で、水平偏向巻線３０内に発生する。
【００１２】
慣用の左右統合型インダクタ、すなわちチョーク３４は、端子４１と、慣用のフィルタコンデンサ３５の端子３４ａとの間に、接続されている。チョーク３４のインピーダンスは、偏向電流ｉｙの共振帰線周波数においては、水平偏向巻線３０のインピーダンスの例えば５倍になる。
【００１３】
端子３４ａは左右変調増幅器６０の出力端子でもある。左右変調増幅器６０は、垂直周波数のパラボラ（palabola）電圧Ｖ３４を端子３４ａに出力する。出力された電圧Ｖ３４は、チョーク３４において、垂直周波数の左右変調電流ｉｍを発生する。
【００１４】
水平帰線コンデンサ２９と、水平偏向巻線３０と、帰線コンデンサ３３と、トランスＴ２の巻線Ｗ１およびＷ２に関連する有効インダクタンスとにより、特許文献１に開示されている左右変調器のものと同様のブリッジが構成される。電流ｉｍにより、左右糸巻ひずみと、内部ラスタひずみとが、特許文献１に開示されている補正方法と同様にして、補正される。偏向電流ｉｙは、Ｓ字補正コンデンサ３１および３１ｂを流れる。電流ｉｙのアンプリチュードは、電流ｉｍによる垂直周波数変調に従って変化する。その結果、Ｓ字補正は、図示しないディスプレイスクリーンの上部および下部においては小さく、このディスプレイスクリーンの垂直中央部においては大きい。電流ｉ３１は、電流ｉｙにより、Ｓ字補正コンデンサ３１から流れる。Ｓ字補正コンデンサ３１間の電圧Ｖ３１の変調は、内部糸巻ひずみ（inner pin）を補正するため、電流ｉｙのアンプリチュードの変化により変化する。
【００１５】
巻数比２：１は、トランスＴ２に関係するものであって、巻線Ｗ１の巻数と巻線Ｗ２の巻数との巻数比であり、全ての負荷状態下で、水平走査のファーストハーフ（first half）において、ダンパダイオード３２が導通し続けるように選択される。トランスＴ２に関係する巻数比により、内部糸巻ひずみ（inner-pin）補正対左右糸巻ひずみ（side-pin）補正の比を確定する。
【００１６】
左右変調増幅器６０は、本発明の特徴を具現化したものであり、オペアンプ８０を含む。オペアンプ８０の出力端子であるピン７は、保護抵抗Ｒ２５を介してドライバトランジスタ６２のベースに接続される。トランジスタ６２のエミッタは、電流センス抵抗Ｒ２６を介してグランドに接続される。トランジスタ６２は左右変調増幅器６０の出力段を構成するものであって、トランジスタ６２のコレクタ、すなわち端子３４ａは、電圧帰還抵抗Ｒ２４を介して、オペアンプ８０の非反転入力端子であるピン５に接続される。オペアンプ８０の非反転入力端子であるピン５は、抵抗Ｒ２３を介してグランドに接続される。抵抗Ｒ２４と抵抗Ｒ２３により分圧器が構成され、これら抵抗の抵抗値の比に従って、左右変調増幅器６０の閉ループ電圧利得が確定される。垂直周波数のパラボラ信号Ｖｉｎは、オペアンプ８０の反転入力端子であるピン６に結合される。
【００１７】
電圧帰還抵抗Ｒ２４により電圧帰還パスが形成されるため、トランジスタ６２のコレクタ、すなわち端子３４ａにおける出力インピーダンスは、コンデンサ３５およびチョーク３４によって形成されるリアクタンス性ネットワークの端子３４ａにおける、電圧Ｖｉｎの周波数での入力インピーダンスより低い。電圧帰還抵抗Ｒ２４がなければ、端子３４ａにおける出力インピーダンスは、トランジスタ６２の高いコレクタ出力インピーダンスによって決定されることになる。
【００１８】
本発明の実施の形態においては、電流帰還抵抗Ｒ２９が、オペアンプ８０の反転入力端子であるピン６と、トランジスタ６２のエミッタとの間に接続されているため、トランジスタ６２のエミッタ電圧Ｖｅに従って、電流ｉＲ２９が帰還される。トランジスタ６２のエミッタ電圧Ｖｅは、トランジスタ６２内のエミッタ電流ｉｅと電流センス抵抗Ｒ２６の値の積に等しい。
【００１９】
説明上、帰還抵抗Ｒ２９は、左右変調増幅器６０には存在しないものと仮定する。そうすると、電圧利得Ａは、オペアンプ８０のピン６に対しては、１＋Ｒ２４／Ｒ２３となる。ここで、Ｒ２４およびＲ２３は対応する抵抗の抵抗値を表す。電圧が負帰還されるため、トランジスタ６２のコレクタ、すなわち端子３４ａにおける出力インピーダンスまたは抵抗Ｒｏが小さ過ぎ、そのためリンギングを充分に抑制できないことになる。したがって、チョーク３４と、トランジスタ６２エミッタとを流れる電流は、入力電圧Ｖｉｎが急速に遷移すると、減衰振動するかリンギングし、その結果、図示しないピクチャの上部において幅リンギングが生じる。
【００２０】
本発明の実施の形態においては、左右変調増幅器６０内に電流帰還抵抗Ｒ２９が含まれるため、都合よく、端子３４ａにおける出力インピーダンスまたは抵抗Ｒｏが高くなる。すなわち、抵抗Ｒｏは、Ｒｏ＝Ｒ２６・Ｒ２２／（Ｒ２２＋Ｒ２９））・（１＋Ｒ２４／Ｒ２３）から求められるが、例えば、５Ωになる。ここで、Ｒ２４、Ｒ２３、Ｒ２９、Ｒ２２、Ｒ２６は、対応する抵抗の抵抗値を表す。電圧利得Ａは、Ａ＝（Ｒ２９／（Ｒ２９＋Ｒ２２））・（１＋Ｒ２４／Ｒ２３）から求められる。そうすると、電圧Ｖｉｎの低い周波数においては、端子３４ａおける出力インピーダンスが高くなって、リンギング急速に減衰させ、ピクチャひずみを防止できるようになる。この点において、トランジスタ６２は能動抵抗として働く。
【００２１】
ここで、次のように仮定する。すなわち、トランジスタ６２からの電流を抵抗Ｒ２９により帰還する代わりに、抵抗値Ｒｏに等しい抵抗値を有するディスクリートの受動コレクタ抵抗（図示しない）を、コンデンサ３５と端子３４ａとの間に接続するものとする。しかし、このように受動コレクタ抵抗を接続すると、トランジスタ６２のコレクタ、すなわち端子３４ａにおいて、出力インピーダンスまたは抵抗値Ｒｏの抵抗を生じることになって、電力損が比較的大きくなる。
【００２２】
しかし、トランジスタ６２からの電流を抵抗Ｒ２９を介して帰還させるようにしたので、前述した受動コレクタ抵抗を必要としない代わりに、トランジスタ６２において電力が消費されることになる。トランジスタ６２は、変調ドライバトランジスタとして使用されるので、リンギングをダンプする必要がない場合においてさえも、電力を消費できる能力を備えている必要がある。そうすると、トランジスタ６２がリンギングを抑制できる能力を持つことは、トランジスタ６２にとって必要な要件ではない。
【００２３】
熱的な観点からすれば、トランジスタ６２を能動抵抗として使用することは、受動コレクタ抵抗として使用するよりも優れており、トランジスタ６２が能動抵抗として動作すると、受動コレクタ抵抗として動作した場合よりもダイナミックレンジが大きくなる。前述した受動コレクタ抵抗として使用するアプローチにおいては、端子３４ａにおける出力電圧は、その最小値がＩｃ１・（Ｒｏ＋Ｒ２６）＋Ｖce_sat以下になることができない。ここで、Ｉｃ１はトレースの垂直中央部におけるコレクタ電流Ｉｃの電流値を表し、Ｖce_satはトランジスタ６２の飽和電圧を表す。抵抗Ｒ２９を介して左右変調増幅器６０に電流を帰還させるようにしたので、端子３４ａにおける出力電圧の最小値は、Ｉｃ１・Ｒ２６＋Ｖce_satを超える必要がない。したがって、端子３４ａにおける変調電圧の電圧ダイナミックレンジは、受動コレクタ抵抗として使用する使用するアプローチにおいて得られるものに比較して、Ｉｃ・Ｒｏだけ広くなる。
【図面の簡単な説明】
【図１】本発明の一実施の形態を示す電気回路図である。
【符号の説明】
１０  水平偏向回路
２１、３１ａ、３１ｃ、３４ａ、４１、１３０ｇ  端子
２２ａ  電源巻線
２７  水平出力トランジスタ
２８  水平ダンパダイオード
２９  水平帰線コンデンサ
３０  水平偏向巻線
３１、３１ｂ  Ｓ字補正コンデンサ
３２  ダンパダイオード
３３  帰線コンデンサ
３４  チョーク
３５  フィルタコンデンサ
６０  左右変調増幅器
６１  水平発信回路・水平ドライブ回路
６２  トランジスタ
８０  オペアンプ
１３０  リンギングサプレッションネットワーク
１３０ａ、１３０ｂ  ダイオード
１３０ｃ、１３０ｄ  抵抗
１３０ｅ  コンデンサ
【図１】
0003785385.tif 000002